(57)【要約】      （修正有）【課題】カレンダーホルダにおいて、例えば、カレンダーが一ヶ月毎で何枚にもなって構成されている場合でも、月が替わる毎にカレンダーを保持具に保持させることができ、固定具を何度も構造体に差し込む必要がなくなり、これにより、構造体が損傷するのを回避させ、美感を向上することにある。【解決手段】カレンダーを建物の構造体に取り付けるカレンダーホルダにおいて、前記構造体に吊持されるホルダ本体を設け、このホルダ本体には少なくとも保持具を設け、この保持具にはカレンダーを保持させて設けている。【選択図】  図１
2006001064.tif 000002
【特許請求の範囲】
【請求項１】
カレンダーを建物の構造体に取り付けるカレンダーホルダにおいて、前記構造体に吊持されるホルダ本体を設け、このホルダ本体には少なくとも保持具を設け、この保持具にはカレンダーを保持させて設けたことを特徴とするカレンダーホルダ。
【請求項２】
前記ホルダ本体は、一側パイプ材の端部と他側パイプ材の端部とが挿入抜出可能に嵌め合わされ、前記カレンダーの幅方向に伸縮可能に構成されたことを特徴とする請求項１に記載のカレンダーホルダ。  
【請求項３】
前記ホルダ本体には、装飾物が設けられたことを特徴とする請求項１に記載のカレンダーホルダ。
【発明の詳細な説明】
【技術分野】
【０００１】
この発明は、カレンダーホルダに係り、特に壁や柱等の建物の構造体を損傷させることなく、カレンダーを構造体に簡単に取り付けるカレンダーホルダに関するものである。
【背景技術】
【０００２】
一般に、カレンダーを壁や柱等の建物の構造体に取り付ける場合に、カレンダーの上部の中央部位の係止具の挿通孔に画鋲や釘等の固定具を挿通し、この固定具を構造体に差し込んでカレンダーを構造体に取り付けている。
【０００３】
従来、カレンダーの吊り具には、本体に中央上辺部の受け部と、一方の端に舌状部と、受け部と舌状部との間で切り込みを入れ、他方の端で吊り部を設け、この吊り部の頂頭部に紐穴を開けたものがある。
【特許文献１】特開平１０−１６４３９号公報
【発明の開示】
【発明が解決しようとする課題】
【０００４】
ところが、従来、カレンダーを壁や柱等の建物の構造体に取り付ける場合に、固定具を構造体に差し込んでいるので、例えば、カレンダーが一ヶ月毎で何枚にもなって構成されている場合に、月が替わる毎に固定具を構造体から取り外し且つ構造体に差し込むことになり、よって、固定具を構造体に何度も差し込むことから、構造体が損傷して美感が損なわれるという不都合があった。
【課題を解決するための手段】
【０００５】
この発明は、カレンダーを建物の構造体に取り付けるカレンダーホルダにおいて、前記構造体に吊持されるホルダ本体を設け、このホルダ本体には少なくとも保持具を設け、この保持具にはカレンダーを保持させて設けたことを特徴とする。
【発明の効果】
【０００６】
この発明のカレンダーホルダは、カレンダーを建物の構造体に吊持されたホルダ本体の保持具に保持させることにより、例えば、カレンダーが一ヶ月毎で何枚にもなって構成されている場合でも、月が替わる毎にカレンダーを保持具に保持させることができることから、固定具を何度も構造体に差し込む必要がなくなり、これにより、構造体が損傷するのを回避させ、美感を向上することができる。
【発明を実施するための最良の形態】
【０００７】
この発明は、カレンダーの取り付けで、壁や柱等の建物の構造体が損傷するのを回避させる目的を、カレンダーをホルダ本体の保持具に保持させて実現するものである。
以下、図面に基づいてこの発明の実施例を詳細且つ具体的に説明する。
【実施例１】
【０００８】
図１〜図４は、この発明の第１実施例を示すものである。
【０００９】
図１、図４において、２は壁や柱等の建物の構造体、４はこの構造体２に固設された桟である。この桟４には、カレンダーホルダ６によってカレンダー８が取り付けられる。
【００１０】
図１、図２に示す如く、カレンダーホルダ６は、ホルダ本体１０とこのホルダ本体１０を桟４に吊持する紐部材１２及びフック部材１４とを備えるとともに、ホルダ本体１０に一対の右側保持具１６−１・左側保持具１６−２と装飾物１８とを設けて構成される。
【００１１】
ホルダ本体１０は、図２に示す如く、例えば、長方形状で、アルミ製やプラスチック製等のパイプ材で形成され、中央部位で上下で平行な直線状の一側上パイプ材２０−１及び一側下パイプ材２０−２と、これら一側上パイプ材２０−１及び一側下パイプ材２０−２に対して左右方向に配置されたＵ字形状の他側右パイプ材２２−１及び他側左パイプ材２２−２とで構成されている。
【００１２】
このホルダ本体１０は、左右方向に配置されたＵ字形状の他側右パイプ材２２−１及び他側左パイプ材２２−２と、上下の直線状の一側上パイプ材２０−１及び一側下パイプ材２０−２とが挿入抜出可能に嵌め合わされ、カレンダー４の幅方向Ｘで該カレンダー４の幅に合わせて伸縮可能に構成されている。
【００１３】
即ち、一側上パイプ材２０−１の右側端部２０Ｒ−１Ｅ及び一側下パイプ材２０−２の右側端部２０Ｒ−２Ｅは、他側右パイプ材２２−１の上端部２２Ｔ−１Ｅ及び下端部２２Ｂ−１Ｅに挿入して嵌め合わされている。また、一側上パイプ材２０−１の左側端部２０Ｌ−１Ｅ及び一側下パイプ材２０−２の左側端部２０Ｌ−２Ｅは、他側左パイプ材２２−２の上端部２２Ｔ−２Ｅ及び下端部２２Ｂ−２Ｅに挿入して嵌め合わされている。
【００１４】
ホルダ本体１０の他側右パイプ材２２−１の上端部２２Ｔ−１Ｅと他側左パイプ材２２−２の上端部２２Ｔ−２Ｅとには、右側紐部材係止具２４−１と左側紐部材係止具２４−２とが固定して設けられている。この右側紐部材係止具２４−１と左側紐部材係止具２４−２とには、紐部材１２の両端が係止して設けられている。
【００１５】
また、この紐部材１２の略中央部位には、フック部材１４が取り付けられている。このフック部材１４は、紐部材１２を係止する紐取付部２６と、この紐取付部２６に対して回転可能な鉤部２８とからなる。
【００１６】
ホルダ本体１０の他側右パイプ材２２−１の下端部２２Ｂ−１Ｅと他側左パイプ材２２−２の下端部２２Ｂ−２Ｅとには、右側保持具１６−１と左側保持具１６−２とが取り付けられている。この右側保持具１６−１と左側保持具１６−２とには、図１に示す如く、デザインされた右側飾り物３０−１と左側飾り物３０−２とが取り付けられている。
【００１７】
この保持具１６は、図３（Ａ）、図３（Ｂ）に示す如く、カレンダー８の上側で幅方向Ｘの両端を挟持させる一側・他側挟持部３２−１・３２−２と、この一側・他側挟持部３２−１・３２−２に交差するように連設した一側・他側押圧部３４−１・３４−２と、この一側・他側押圧部３４−１・３４−２に連設した上側のバネ部３６と、このバネ部３６に内側に固定されて各下端部２２Ｂ−１Ｅ・２２Ｂ−２Ｅを挿通させる孔部３８を備えた環状の固定部４０とにより構成され、通常、バネ部３６の付勢力により一側・他側挟持部３２−１・３２−２を密着させているが、一側・他側押圧部３４−１・３４−２を外側から押圧することにより、一側・他側挟持部３２−１・３２−２をバネ部３６の付勢力に抗して離間させるものである。保持具１６は、孔部３８に各下端部２２Ｂ−１Ｅ・２２Ｂ−２Ｅを挿通させることにより、該各下端部２２Ｂ−１Ｅ・２２Ｂ−２Ｅ上で軸方向移動可能なものである。
【００１８】
ホルダ本体１０及び紐部材１２には、所定の取付手段（図示せず）によって装飾物１８が取り付けられる。この装飾物１８は、例えば、図１に示す如く、帽子４２に時計４４を備えたものであるが、種々変更可能なものである。
【００１９】
次に、この第１実施例の作用を説明する。
【００２０】
カレンダー８を構造体２に取り付ける場合には、図４に示す如く、フック部材１４を桟４に係止すると、図１に示す如く、装飾物１８が紐部材１２やフック部材１４を覆うように配置され、そして、各保持具１６を操作してカレンダー８の上側の両端を保持させる。
【００２１】
そして、月が変わる場合には、各保持具１６を操作し、カレンダー８を外し、終わった月の紙を取り外し、カレンダー８の上側の両端を再び各保持具１６に保持させる。
【００２２】
これにより、例えば、カレンダー８が一ヵ月毎で何枚にもなって構成されている場合でも、月毎に構造体２に従来の固定具を差し込む必要がなくなり、よって、構造体２が損傷するのを回避させることができるとともに、装飾物１８によりカレンダー８を飾るとともに、装飾物１８が紐部材１２やフック部材１４を覆ってしまうことから、美感を向上することができる。
【００２３】
また、ホルダ本体１０をアルミ製やプラスチック製等のパイプ材で構成したことにより、軽量化を図り、取り扱いが容易で、しかも、廉価とすることができる。
【実施例２】
【００２４】
図５は、この発明の第２実施例を示すものである。
【００２５】
以下の実施例においては、上述の第１実施例と同一機能を果たす箇所には同一符号を付して説明する。
【００２６】
この第２実施例の特徴とするところは、以下の点にある。即ち、ホルダ本体１０においては、他側右パイプ材２２−１と他側左パイプ材２２−２との間に、両端部が該他側右パイプ材２２−１と他側左パイプ材２２−２とに取り付けられてこの他側右パイプ材２２−１と他側左パイプ材２２−２とを縮小する方向に付勢するスプリング５２を設けるとともに、他側右パイプ材２２−１の上端部２２Ｔ−１Ｅと他側左パイプ材２２−２の上端部２２Ｔ−２Ｅとの間には、例えば、縦（垂直方向）に配置された柱等の構造体２の幅よりも大きな所定の間隔Ｓを形成し、この他側右パイプ材２２−１の上端部２２Ｔ−１Ｅと他側左パイプ材２２−２の上端部２２Ｔ−２Ｅとには、構造体２の側面に密着させる広面積の右側密着部５４−１と左側密着部５４−２とを形成した。
【００２７】
この第２実施例の構成によれば、柱等の構造体２の一面２Ｆ−１に他側右パイプ材２２−１の右側密着部５４−１を密着させるとともに、構造体２の他面２Ｆ−２に他側左パイプ材２２−２の左側密着部５４−２を密着させることにより、ホルダ本体１０を、紐部材やフック部材を不要として構造体２に取り付けることができ、桟等が無い場合でもホルダ本体１０を構造体２に取り付けさせ、簡便であるとともに、部品点数を低減し、構造が簡単で、しかも、廉価とすることができる。
【００２８】
なお、第２実施例において、ホルダ本体１０を横（水平方向）に配置された桟等の構造体にも吊持させることが可能である。
【実施例３】
【００２９】
図６は、この発明の第３実施例を示すものである。
【００３０】
この第３実施例の特徴とするところは、以下の点にある。即ち、フック部材２２として、Ｌ字形状の係止具６２を設けた、この係止具６２は、例えば、桟４の上面４Ｆに接する滑り止め部６４を備えた第１部材６６と、紐部材１４を係止する第２部材６６とからなる。
【００３１】
この第３実施例の構成によれば、係止具６２の第１部材６６の滑り止め部６４を桟４の上面４Ｆに係止するだけで、ホルダ本体１０を桟４に吊持することができ、簡便であるとともに、滑り止め部６４によってホルダ本体１０が桟４から外れにくくなり、ホルダ本体１０を堅固に吊持させることができる。
【産業上の利用可能性】
【００３２】
カレンダーをホルダ本体の保持具に保持させるカレンダーホルダを、メモ用紙、レターファイル、写真負アイル等の他の物を吊持することにも適用することができる。
【図面の簡単な説明】
【００３３】
【図１】第１実施例においてカレンダーをホルダ本体の保持具に保持させて構造体に取り付けた状態の正面図である。
【図２】第１実施例においてカレンダーホルダの正面図である。
【図３】（Ａ）は保持具の正面図である。        （Ｂ）は保持具の側面図である。
【図４】第１実施例においてフック部材を桟に係止させた状態の要部側面図である。
【図５】第２実施例においてホルダ本体の正面図である。
【図６】第３実施例においてＬ字形状の係止具を桟に係止させる時の要部側面図である。
【符号の説明】
【００３４】
２  構造体
４  桟
６  カレンダーホルダ
８  カレンダー
１０  ホルダ本体
１２  紐部材
１４  フック部材
１６−１  右側保持具
１６−２  左側保持具
１８  装飾物
２０−１  一側上パイプ材
２０−２  一側下パイプ材
２２−１  他側右パイプ材
２２−２  他側左パイプ材
【図１】
2006001064.tif 000003
【図２】
2006001064.tif 000004
【図３】
2006001064.tif 000005
【図４】
2006001064.tif 000006
【図５】
2006001064.tif 000007
【図６】
2006001064.tif 000008